(57)【要約】【課題】横幕板をフードに容易に固定可能なレンジフード及びレンジフードの横幕板の固定方法を提供する。【解決手段】レンジフードは、排気ファンと、排気ファンの下方に設けられたフード２と、排気ファンの側方に配置される横幕板３と、横幕板３をフード２に固定する固定部材５と、を備え、固定部材５は、フード２に固定される固定部５１と、横幕板３を支持する支持部５５と、を有し、固定部５１には、フード２に設けられたフード側係止部２１ｘを係止する固定側係止部５１ｇが設けられ、支持部５５には、前方に向かって開口し、横幕板３に設けられた幕板側係止部３１ｘを係止するスライド係止部５５ｇが形成されていることを特徴とする。【選択図】図９
2020038019.tif 000002
【特許請求の範囲】
【請求項１】
排気ファンと、
該排気ファンの下方に設けられたフードと、
前記排気ファンの側方に配置される横幕板と、
該横幕板を前記フードに固定する固定部材と、を備え、
該固定部材は、
前記フードに固定される固定部と、
前記横幕板を支持する支持部と、を有し、
前記固定部には、前記フードに設けられたフード側係止部を係止する固定側係止部が設けられ、
前記支持部には、前方に向かって開口し、前記横幕板に設けられた幕板側係止部を係止するスライド係止部が形成されていることを特徴とするレンジフード。
【請求項２】
前記フード側係止部は、前記フードから上方に突出する形状をなし、
前記固定側係止部は、後方に向かって開口する形状をなす請求項１に記載のレンジフード。
【請求項３】
前記幕板側係止部は、前記横幕板の前後方向の両側に設けられている請求項１または２に記載のレンジフード。
【請求項４】
前記支持部は、
前記横幕板の下端部を支持する支持板部と、
該支持板部における前記レンジフードの幅方向の内側から上方に立設されるとともに、前記スライド係止部が形成された係止板部と、を有し、
前記幕板側係止部は、前記横幕板における前記レンジフードの幅方向の内側に設けられている請求項１から３のいずれか一項に記載のレンジフード。
【請求項５】
前記係止板部と前記横幕板との間には、スペーサーが配置可能とされ、
該スペーサーは、前記幕板側係止部とともに前記横幕板に固定されている請求項４に記載のレンジフード。
【請求項６】
前記排気ファンの前方に配置された前幕板を備え、
前記横幕板と前記前幕板とは連結部材で連結され、
該連結部材は、
第一面部と、
該第一面部と直交配置された第二面部と、
前記第一面部と前記第二面部とを接続する接続部と、を有し、
前記第一面部及び前記第二面部には、前記前幕板に設けられた前幕板側係止部が係止可能な係止孔が形成され、
前記接続部から前記第一面部の前記係止孔までの長さと、前記接続部から前記第二面部の前記係止孔までの長さとは異なる請求項１から５のいずれか一項に記載のレンジフード。
【請求項７】
排気ファンの下方に設けられたフードに、前記排気ファンの側方に配置される横幕板を、固定部材を介して固定するレンジフードの横幕板の固定方法であって、
前記フードに設けられたフード側係止部に、前記固定部材に設けられた固定側係止部を係止させる固定部材係止工程と、
前記横幕板に設けられた幕板側係止部を、前記固定部材に前方に開口するように形成されたスライド係止部に係止させる横幕板係止工程と、を備えることを特徴とするレンジフードの横幕板の固定方法。
【発明の詳細な説明】
【技術分野】
【０００１】
本発明は、レンジフード及びレンジフードの横幕板の固定方法に関するものである。
【背景技術】
【０００２】
従来から、キッチンの加熱調理器から発生する油煙等を屋外へ排出するために、レンジフードが加熱調理器の上方に設置されている。レンジフードは、油煙を捕集するフードと、捕集した油煙を室外に排出する排気ファン（フード本体）と、排気ファンを覆う幕板と、を備えている。幕板は、排気ファンの下部に設けられたフードに螺子等で固定されている（下記の特許文献１参照）。
【先行技術文献】
【特許文献】
【０００３】
【特許文献１】特許第５６９３４３４号公報
【発明の概要】
【発明が解決しようとする課題】
【０００４】
しかしながら、フード本体とフード本体の側方に配置される横幕板との間の隙間は狭く、またレンジフードの設置位置が高所であるため、横幕板をフードに螺子止めすることが困難であるという問題点がある。
【０００５】
そこで、本発明は、上記事情に鑑みてなされたものであり、横幕板をフードに容易に固定可能なレンジフード及びレンジフードの横幕板の固定方法を提供する。
【課題を解決するための手段】
【０００６】
上記目的を達成するために、本発明は以下の手段を採用している。
すなわち、本発明に係るレンジフードは、排気ファンと、該排気ファンの下方に設けられたフードと、前記排気ファンの側方に配置される横幕板と、該横幕板を前記フードに固定する固定部材と、を備え、該固定部材は、前記フードに固定される固定部と、前記横幕板を支持する支持部と、を有し、前記固定部には、前記フードに設けられたフード側係止部を係止する固定側係止部が設けられ、前記支持部には、前方に向かって開口し、前記横幕板に設けられた幕板側係止部を係止するスライド係止部が形成されていることを特徴とする。
【０００７】
このように構成されたレンジフードでは、フードのフード側係止部に固定部材の固定側係止部を係止させることで、固定部材がフードに係止される。この固定部材のスライド係止部に、横幕板の幕板側係止部を係止させる。スライド係止部は前方に向かって開口しているため、幕板側係止部を係止させる際には、横幕板を後方に向かってスライドさせれば、幕板側係止部が固定部材のスライド係止部に係止される。よって、横幕板を後方にスライドさせるだけでよいため、横幕板をフードに容易に固定することができる。
【０００８】
また、本発明に係るレンジフードでは、前記フード側係止部は、前記フードから上方に突出する形状をなし、前記固定側係止部は、後方に向かって開口する形状をなすことが好ましい。
【０００９】
このように構成されたレンジフードでは、固定側係止部は後方に向かって開口する形状をなすため、フードのフード側係止部に固定部材の固定側係止部を係止させる際には、固定部材を後方に向かってスライドさせれば、フードから上方に突出するフード側係止部が固定側係止部に係止される。よって、固定部材をフードに容易に係止させることができる。
【００１０】
また、本発明に係るレンジフードでは、前記幕板側係止部は、前記横幕板の前後方向の両側に設けられていてもよい。
【００１１】
このように構成されたレンジフードでは、横幕板の前後方向の両側に幕板側係止部が設けられているため、横幕板は前後方向の両側で固定部材に係止される。よって、横幕板を固定部材に安定的に係止させることができる。
【００１２】
また、本発明に係るレンジフードでは、前記支持部は、前記横幕板の下端部を支持する支持板部と、該支持板部における前記レンジフードの幅方向の内側から上方に立設されるとともに、前記スライド係止部が形成された係止板部と、を有し、前記幕板側係止部は、前記横幕板における前記レンジフードの幅方向の内側に設けられていてもよい。
【００１３】
このように構成されたレンジフードでは、固定部材の支持板部が横幕板の下端部を支持するように、固定部材は横幕板の下端部に配置されている。よって、固定部材のスライド係止部と横幕板の幕板側係止部との係止箇所が横幕板の下端部であるため、レンジフードの設置位置が高所であっても、スライド係止部と幕板側係止部とを係止させる作業がしやすい。
また、スライド係止部は支持板部におけるレンジフードの幅方向の内側に設けられた係止板部に形成されているとともに、幕板側係止部は横幕板におけるレンジフードの幅方向の内側に設けられている。よって、レンジフードの使用状態において、固定部材のスライド係止部と横幕板の幕板側係止部との係止箇所が外方から視認されず、外観よく仕上げることができる。
【００１４】
また、本発明に係るレンジフードは、前記係止板部と前記横幕板との間には、スペーサーが配置可能とされ、該スペーサーは、前記幕板側係止部とともに前記横幕板に固定されていてもよい。
【００１５】
このように構成されたレンジフードでは、固定部材の係止板部と横幕板との間には、幕板側係止部とともに横幕板に固定されたスペーサーが、配置可能とされている。よって、横幕板の厚さが厚い場合には、スペーサーを配置せずに幕板側係止部のみを横幕板に設け、横幕板の厚さが薄い場合には、スペーサーを幕板側係止部とともに横幕板に固定する。したがって、横幕板の厚さに応じてスペーサーの有無を選択することで、横幕板の厚さが異なっていても固定部材を共通で使用することができる。
【００１６】
また、本発明に係るレンジフードは、前記排気ファンの前方に配置された前幕板を備え、前記横幕板と前記前幕板とは連結部材で連結され、該連結部材は、第一面部と、該第一面部と直交配置された第二面部と、前記第一面部と前記第二面部とを接続する接続部と、を有し、前記第一面部及び前記第二面部には、前記前幕板に設けられた前幕板側係止部が係止可能な係止孔が形成され、前記接続部から前記第一面部の前記係止孔までの長さと、前記接続部から前記第二面部の前記係止孔までの長さとは異なっていてもよい。
【００１７】
このように構成されたレンジフードでは、横幕板と前幕板とを連結する連結部材では、接続部から第一面部の係止孔までの長さと接続部から第二面部の係止孔までの長さとは異なっている。横幕板の厚さが薄い場合には、第一面部及び第二面部のうち接続部から係止孔までの長さが長い方が、前幕板に沿うように配置して、係止孔に前幕板の前幕板側係止部を係止させる。横幕板の厚さが厚い場合には、第一面部及び第二面部のうち接続部から係止孔までの長さが短い方が、前幕板に沿うように配置して、係止孔に前幕板の前幕板側係止部を係止させる。このように、連結部材の向きを変えれば、横幕板の厚さが違っていても、連結部材を共通で使用することができるため、部品点数を抑制することができる。
【００１８】
また、本発明に係るレンジフードの横幕板の固定方法は、排気ファンの下方に設けられたフードに、前記排気ファンの側方に配置される横幕板を、固定部材を介して固定するレンジフードの横幕板の固定方法であって、前記フードに設けられたフード側係止部に、前記固定部材に設けられた固定側係止部を係止させる固定部材係止工程と、前記横幕板に設けられた幕板側係止部を、前記固定部材に前方に開口するように形成されたスライド係止部に係止させる横幕板係止工程と、を備えることを特徴とする。
【００１９】
このように構成されたレンジフードの横幕板の固定方法では、固定部材係止工程で、フードのフード側係止部に固定部材の固定側係止部を係止させる。横幕板係止工程で、固定部材のスライド係止部に横幕板の幕板側係止部を係止させる。スライド係止部は前方に向かって開口しているため、幕板側係止部を係止させる際には、横幕板を後方に向かってスライドさせれば、幕板側係止部が固定部材のスライド係止部に係止される。よって、横幕板をフードに容易に固定することができる。
【発明の効果】
【００２０】
本発明に係るレンジフード及びレンジフードの横幕板の固定方法によれば、横幕板をフードに容易に固定することができる。
【図面の簡単な説明】
【００２１】
【図１】本発明の一実施形態に係るレンジフードを示す斜視図である。
【図２】図１のＡ−Ａ線断面図である。
【図３】図２のＢ−Ｂ線断面図である。
【図４】本発明の一実施形態に係るレンジフードの固定部材を斜め前方から見た斜視図である。
【図５】本発明の一実施形態に係るレンジフードの固定部材を斜め後方から見た斜視図である。
【図６】本発明の一実施形態に係るレンジフードの横幕板と前幕板との連結構造を示す斜視図である。
【図７】本発明の一実施形態に係るレンジフードの横幕板と前幕板とを連結する連結部材を示す斜視図である。
【図８】本発明の一実施形態に係るレンジフードの横幕板の固定方法の固定部材係止工程を説明する図である。
【図９】本発明の一実施形態に係るレンジフードの横幕板の固定方法の横幕板係止工程を説明する図である。
【発明を実施するための形態】
【００２２】
以下、本発明の一実施形態に係るレンジフード及びレンジフードの横幕板の固定方法について説明する。
まず、レンジフードについて説明する。
図１は、本発明の一実施形態に係るレンジフードを示す斜視図である。
図１に示すように、レンジフード１００は、不図示のファンを内蔵したレンジフード本体（排気ファン）１と、レンジフード本体１の下部に設けられたフード２と、レンジフード本体１の外周を覆うように配置された横幕板３及び前幕板４と、を備えている。図１では、レンジフード本体１及びフード２は、模式的に示している。
【００２３】
ここで、利用者がレンジフード１００の前幕板４に対向する側を前側とし、反対側を後側とし、前側と後側とを結ぶ方向を前後方向とする。また、水平方向のうち前後方向に直交する方向を幅方向とする。
本実施形態では、レンジフード１００は、後側及び幅方向の一方側（側方）がそれぞれ壁部Ｗ１，Ｗ２に沿って配置されている。
【００２４】
フード２には、下面に不図示の開口部が設けられている。開口部から、室内の空気が吸引可能とされている。
【００２５】
平面視で、フード２は、レンジフード本体１よりも大きく形成されている。平面視で、フード２の幅方向の両側及び前側は、レンジフード本体１よりも張り出している。
【００２６】
次に、横幕板３の構成、及び横幕板３をフード２に固定する固定構造について説明する。
横幕板３は、レンジフード本体１の幅方向の一方側に、レンジフード本体１と間隔を有して配置されている。横幕板３は、下地パネル３１と、化粧パネル３６と、を有している。
【００２７】
下地パネル３１及び化粧パネル３６は、それぞれ板状に形成されている。下地パネル３１及び化粧パネル３６は、板厚方向をレンジフード１００の幅方向に向けて配置されている。下地パネル３１は、化粧パネル３６よりも内側（レンジフード本体１側）に、化粧パネル３６に隣接配置されている。下地パネル３１と化粧パネル３６とは、接着剤や螺子等の周知の固定手段により接合されて一体とされ、板面が前後方向及び上下方向に沿って配置されている。本実施形態では、化粧パネル３６の厚さは１５ｍｍであり、下地パネル３１は不燃性材料で形成されている。
【００２８】
図２は、図１のＡ−Ａ線断面図である。図３は、図２のＢ−Ｂ線断面図である。
図２及び図３に示すように、横幕板３は、フード２に固定された固定金具（固定部材）５を介して、フード２に固定されている。固定金具５は、前後方向に延びるように配置されている。固定金具５は、横幕板３の前後方向の略全長にわたって配置されている。
【００２９】
図４は、固定金具５を斜め前方から見た斜視図である。図５は、固定金具５を斜め後方から見た斜視図である。
図４及び図５に示すように、固定金具５は、固定板部（固定部）５１と、外側板部５２と、内側板部５３と、支持板部（支持部）５４と、係止板部（支持部）５５と、を有している。
【００３０】
図３に示すように、固定板部５１は、フード２の上面２ｕに設置されている。固定板部５１は、板状に形成されている。固定板部５１は、板厚方向の上下方向に向けて配置されている。
【００３１】
図４に示すように、固定板部５１には、上下方向に貫通する貫通孔５１ｈ，５１ｉが形成されている。貫通孔５１ｈは、固定金具５の前部に配置されている。貫通孔５１ｉは、固定金具５の後部に配置されている。
【００３２】
貫通孔５１ｈは、前後方向に長い形状をなしている。図２に示すように、貫通孔５１ｈに螺子５１ｘが挿通されて、フード２の上部に螺合されている。
【００３３】
図４に示すように、固定板部５１の後端には、後部係止溝（固定側係止部）５１ｇが形成されている。後部係止溝５１ｇは、固定板部５１の後端から前方に向かって切り欠かれた形状なしている。換言すると、後部係止溝５１ｇは、後方に向かって開口している。
【００３４】
図２及び図３に示すように、フード２の上部には、下部係止螺子（フード側係止部）２１ｘが螺合されている。下部係止螺子２１ｘの頭部及び軸部の上端は、フード２の上面２ｕから上方に突出している。下部係止螺子２１ｘは、固定金具５の後部係止溝５１ｇの前端に配置されている。換言すると、固定金具５の後部係止溝５１ｇに、下部係止螺子２１ｘが係止されている。これにより、固定金具５の固定板部５１は、フード２に固定されている。
【００３５】
図４に示すように、固定板部５１の前端には、上方に立設された固定壁部５６が設けられている。固定壁部５６は、板状に形成されている。固定壁部５６は、板厚方向の前後方向に向けて配置されている。固定壁部５６には、前後方向に貫通する貫通孔５６ｈが形成されている。
【００３６】
図３に示すように、外側板部５２は、固定板部５１の端部（レンジフード１００の幅方向の外側の端部）から上方に立設されている。外側板部５２は、板状に形成されている。外側板部５２は、板厚方向をレンジフード１００の幅方向に向けて配置されている。
【００３７】
内側板部５３は、外側板部５２の上端から下方に延びている。内側板部５３は、外側板部５２におけるレンジフード１００の幅方向の内側を向く面に沿って配置されている。内側板部５３は、板状に形成されている。内側板部５３は、板厚方向をレンジフード１００の幅方向に向けて配置されている。
【００３８】
支持板部５４は、内側板部５３の下端からレンジフード１００の幅方向の内側に延びている。支持板部５４は、板状に形成されている。支持板部５４は、板厚方向の上下方向に向けて配置されている。
【００３９】
支持板部５４には、上下方向に貫通する貫通孔５４ｈ，５４ｉ（図８参照。以下同じ。）が前後両側に形成されている。前側の貫通孔５４ｈは、平面視で固定板部５１の貫通孔５１ｈ（図２参照。以下同じ。）と重なった位置に形成されている。貫通孔５４ｈの径は、螺子５１ｘ（図２参照。以下同じ。）の頭部の径よりも大きい。後側の貫通孔５４ｉは、平面視で固定板部５１の後部係止溝５１ｇの少なくとも一部と重なった位置に形成されている。
【００４０】
係止板部５５は、支持板部５４の端部（レンジフード１００の幅方向の内側の端部）から上方に立設されている。係止板部５５は、板状に形成されている。係止板部５５は、板厚方向をレンジフード１００の幅方向に向けて配置されている。
【００４１】
図４に示すように、係止板部５５には、前部及び後端に、それぞれ上向き壁部５５ａが設けられている。上向き壁部５５ａは、係止板部５５の上端から上方に延びている。上向き壁部５５ａの上端部には、前方に延びる前延出壁部５５ｂが設けられている。
【００４２】
前延出壁部５５ｂの下端と係止板部５５の上端との間には、スライド溝（スライド係止部）５５ｇが形成されている。スライド溝５５ｇは、前方に向かって開口する形状をなしている。
【００４３】
図２及び図３に示すように、横幕板３の下地パネル３１の内面（レンジフード１００の幅方向の内側の面）３１ａの下部には、複数の段付き螺子（幕板側係止部）３１ｘが螺合されている。段付き螺子３１ｘは、下地パネル３１の前部及び後部に設けられている。段付き螺子３１ｘの頭部及び軸部の頭部側の部分は、下地パネル３１の内面３１ａから突出している。換言すると、段付き螺子３１ｘは、横幕板３からレンジフード１００の幅方向の内側に向かって突出している。
【００４４】
段付き螺子３１ｘは、固定金具５のスライド溝５５ｇの後端に配置されている。換言すると、固定金具５のスライド溝５５ｇに段付き螺子３１ｘが係止されている。
【００４５】
図３に示すように、固定金具５の係止板部５５と下地パネル３１との間に、スペーサー機能を有する絞りワッシャー（スペーサー）３２が介在している。段付き螺子３１ｘは、絞りワッシャー３２に形成された挿通孔３２ｈに挿通され、下地パネル３１及び化粧パネル３６にねじ込まれている。換言すると、絞りワッシャー３２は、段付き螺子３１ｘとともに下地パネル３１及び化粧パネル３６に固定されている。
【００４６】
絞りワッシャー３２は、略円錐台に形成されている。絞りワッシャー３２は、下地パネル３１側から係止板部５５に向かうにしたがって次第に直径が短くなるように形成されている。
【００４７】
横幕板３の化粧パネル３６の外面（レンジフード１００の幅方向の外側の面）３６ａは、固定金具５の外側板部５２の外面５２ａと略同一平面上に配置されている。本実施形態の化粧パネル３６の厚さは、約１５ｍｍである。他にも化粧パネルの厚さが約１８ｍｍのものもり、化粧パネル３６は厚さが薄い方である。絞りワッシャー３２の厚さは約３ｍｍであり、絞りワッシャー３２は、本実施形態のように化粧パネル３６の厚さが薄い（１５ｍｍ）場合に、スペーサーとして使用するものである。化粧パネル３６の厚さが厚い（１８ｍｍ）場合には、絞りワッシャー３２を設けずに、化粧パネル３６の外面３６ａが固定金具５の外側板部５２の外面５２ａと略同一平面上になるように設定されている。
【００４８】
支持板部５４には、下地材５８が配置されている。固定金具５の内側板部５３、支持板部５４及び係止板部５５により囲まれた空間内に、下地材５８は配置されている。固定金具５の内側板部５３、支持板部５４及び係止板部５５により囲まれた空間により、下地材５８を安定的に設置することができる。本実施形態では、下地材５８は、不燃性材料で形成されている。
【００４９】
横幕板３は、下地材５８上及び固定金具５の外側板部５２上に載置されている。このように、横幕板３が載置され、横幕板３の下端部を支持する支持板部５４及び横幕板３を係止する係止板部５５が、横幕板３を支持している。
【００５０】
固定金具５の内側板部５３の高さ寸法は、係止板部５５の高さ寸法よりも小さく、下地材５８の高さ寸法と略同一である。これにより、横幕板３が不燃性材料の下地材５８から固定金具５の内側板部５３まで横幕板３の厚さ方向にまたがるように配置することができる。
【００５１】
次に、前幕板４の構成、及び前幕板４と横幕板３との連結構造について説明する。
図１に示すように、前幕板４は、レンジフード本体１の前方に、レンジフード本体１と間隔を有して配置されている。前幕板４は、板状に形成されている。前幕板４は、板面が幅方向及び上下方向に沿って配置されている。
【００５２】
前幕板４の下方には、前金具６が設けられている。前金具６は、前幕板４の幅方向の略全長にわたって配置されている。
【００５３】
図２に示すように、前金具６は、フード２上に載置される設置部６１と、設置部６１から上方に延びる固定部６２と、固定部６２から前方に延出する支持部６３と、を有している。
【００５４】
固定部６２には、前方から螺子６２ｘが挿通されて、固定金具５の固定壁部５６の貫通孔５６ｈ（図４参照）に螺合されている。これにより、前金具６と固定金具５とが連結されている。
【００５５】
なお、固定金具５の外側板部５２の高さ寸法は、前金具６の固定部６２の高さと略同一であり、螺子６２ｘによる固定が可能な高さ寸法とされている。また、固定金具５の外側板部５２の高さ寸法と前金具６の固定部６２の高さ寸法とは略同一であるため、前幕板４の下方の意匠と横幕板３の下方の意匠とを統一することができる。
【００５６】
支持部６３上には、下地材４８が配置されている。本実施形態では、下地材４８は、不燃性材料で形成されている。前幕板４は、下地材４８上に載置されている。
【００５７】
前幕板４と横幕板３とは、幕板連結金具（連結部材）７を介して連結されている。
図６は、横幕板３と前幕板４との連結構造を示す斜視図である。
図６に示すように、横幕板３の下地パネル３１には、幕板連結金具７が固定されている。
【００５８】
図７は、横幕板３と前幕板４とを連結する幕板連結金具７を示す斜視図である。
図７に示すように、幕板連結金具７は、Ｌ字状に形成されている。幕板連結金具７は、第一面部７１と、第二面部７２と、を有している。幕板連結金具７は、平板状をなす板金を第一面部７１と第二面部７２との交差部分である折曲部（接続部）７３で折曲して形成されている。
【００５９】
第一面部７１及び第二面部７２は、それぞれ板状に形成されている。第一面部７１と第二面部７２とは、折曲部７３で各板面が略直角に交差している。
【００６０】
第一面部７１及び第二面部７２には、それぞれ板厚方向に貫通する螺子孔７６及び係止孔７７が形成されている。
【００６１】
螺子孔７６は、図６に示す横幕板３に固定された状態で上下方向に離間して２箇所に形成されている。係止孔７７は、２箇所の螺子孔７６の間に形成されている。係止孔７７は、矩形状に形成されている。
【００６２】
図７に示すように、第一面部７１の外面７１ａには、「アツサ１５ノトキマエ」の文字及び折曲部７３側を指す矢印の絵が記載されている。第二面部７２の外面７２ａには、「アツサ１８ノトキマエ」の文字及び折曲部７３側を指す矢印の絵が記載されている。
【００６３】
幕板連結金具７は、横幕板３の化粧パネル３６の厚さが１５ｍｍの薄いものと、厚さが１８ｍｍの厚いものとで共通で使用可能である。
【００６４】
図６に示すように、本実施形態のような化粧パネル３６の厚さが１５ｍｍの場合には、「アツサ１５ノトキマエ」と記載がある第一面部７１が前方を向く（前幕板４の内面４ｂに沿う）ように配置する。横幕板３の化粧パネルの厚さが１８ｍｍの場合には、「アツサ１８ノトキマエ」と記載がある第二面部７２が前方を向く（前幕板４の内面４ｂに沿う）ように配置する。
【００６５】
図７に示すように、第二面部７２の角部（折曲部７３側と反対側の辺の上下の角部）７２ｃは、第一面部７１の角部７１ｃよりも丸く形成されている。施工者が第一面部７１と第二面部７２との違いを形状から判断できるように、角部７１ｃ，７２ｃの形状を異ならせている。
【００６６】
折曲部７３から第一面部７１の係止孔７７までの長さをＬ１とする。折曲部７３から第二面部７２の係止孔７７までの長さをＬ２とする。Ｌ１は、Ｌ２よりも長い。本実施形態では、２種類の化粧パネルの厚さの差の寸法に応じて、Ｌ１の方がＬ２よりも３ｍｍ長い。
【００６７】
図６に示すように、幕板連結金具７は、横幕板３と前幕板４との交差部分の上端部に配置されている。
【００６８】
幕板連結金具７は、第一面部７１が前幕板４の内面４ｂに沿って配置されるとともに、第二面部７２が横幕板３の下地パネル３１の内面３１ａに沿って配置されている。第二面部７２の螺子孔７６に螺子７６ｘが挿通されて、下地パネル３１に螺合されている。
【００６９】
前幕板４の裏面には、係止金具８が設けられている。係止金具８は、螺子８ｘで前幕板４に固定されている。
【００７０】
係止金具８には、後方に向かうにしたがって次第に上方に向かうように延びる係止片（前幕板側係止部）８１が設けられている。係止片８１の上端部には、下方に延びる抜け止め片８２が設けられている。
【００７１】
係止金具８の係止片８１は、横幕板３に固定された幕板連結金具７の第二面部７２の係止孔７７に挿通され、係止されている。
【００７２】
なお、横幕板３の化粧パネル３６の厚さが１８ｍｍの場合には、「アツサ１８ノトキマエ」と記載がある第二面部７２が前方を向く（前幕板４の内面４ｂに沿う）ように配置して、第一面部７１を横幕板３に固定する。前幕板４に固定される係止金具８の位置は、化粧パネルの厚さによらず同じである。化粧パネルの厚さが１８ｍｍの場合には、下地パネル３１の内面３１ａが厚さ１５ｍｍの場合よりも３ｍｍ内方（レンジフード１００の幅方向の内側）に配置されるものの、第二面部７２のＬ２は第一面部７１のＬ１よりも３ｍｍ短いため、係止金具８の係止片８１は、第二面部７２の係止孔７７に係止可能である。
【００７３】
横幕板３の下地パネル３１の後端の上端にも、幕板連結金具７が設けられている。幕板連結金具７は、第二面部７２が下地パネル３１に沿うように螺子７６ｘで固定されている。図２に示すように、第一面部７１は、壁部Ｗ１に、螺子７６ｘで固定されている。
【００７４】
次に、横幕板３をフード２に固定する固定方法及び横幕板３と前幕板４とを連結する連結方法について説明する。
図８は、横幕板３の固定方法の固定部材係止工程を説明する図である。図９は、横幕板３の固定方法の横幕板係止工程を説明する図である。
図８に示すように、フード２の上面２ｕの後部に、下部係止螺子２１ｘを螺合する。下部係止螺子２１ｘの頭部及び軸部の上端が、フード２の上面２ｕから突出するようにしておく。
【００７５】
次に、固定部材係止工程を行う。
固定金具５を用意して、後部係止溝５１ｇ（図５参照）内にフード２に設けられた下部係止螺子２１ｘが配置されるように、固定金具５を前方から後方にスライドさせる。下部係止螺子２１ｘを後部係止溝５１ｇの前端に係止させる。
【００７６】
支持板部５４の前側の貫通孔５４ｈの上方から、螺子５１ｘを入れて、固定板部５１の貫通孔５１ｈ（図５参照）に挿通して、フード２に螺合させる。これにより、固定金具５の前後方向の両端部がフード２に固定される。
【００７７】
図９に示すように、固定金具５の支持板部５４（図８参照）上に、下地材５８を設置する。横幕板３の下地パネル３１の下部の前部及び後部に、絞りワッシャー３２を設ける。段付き螺子３１ｘを、絞りワッシャー３２に貫通させて、下地パネル３１に螺合させる。段付き螺子３１ｘの頭部及び軸部の頭部側の部分が、下地パネル３１の内面３１ａから突出するようにしておく。なお、横幕板３の上端の前端及び後端には、幕板連結金具７をそれぞれ固定しておく（図６参照）。
【００７８】
次に、横幕板係止工程を行う。
横幕板３を下地材５８及び固定金具５の外側板部５２の上部に載置して、前方から後方にスライドさせて、横幕板３の段付き螺子３１ｘを固定金具５のスライド溝５５ｇの後端に係止させる。これにより、横幕板３が固定金具５に固定される。
【００７９】
図２に示すように、横幕板３の後端に設けられた幕板連結金具７を、壁部Ｗ１に螺子７６ｘで固定する。
【００８０】
次に、前幕板設置工程を行う。
予め、前幕板４の下端部に前金具６を固定しておく。フード２上において、前幕板４が設置される位置の下方に、前金具６を設置する。前金具６の長さ方向の一端と固定金具５の前端とを螺子６２ｘで螺合する。
【００８１】
前幕板４の上端には、係止金具８を固定しておく。横幕板３の前端に設けられた幕板連結金具７の係止孔７７に、前幕板４に設けられた係止金具８の係止片８１を下方から挿入する。係止孔７７内で係止片８１が上方に移動するように、前幕板４を上方に持ち上げた後、下方に下げて、前幕板４を前金具６に設けられた下地材４８上に設置する。前幕板４の係止片８１は横幕板３の幕板連結金具７の係止孔７７に係止され、前幕板４は横幕板３に連結される。
【００８２】
このように構成されたレンジフード１００では、フード２の下部係止螺子２１ｘに固定金具５の後部係止溝５１ｇを係止させることで、固定金具５がフード２に係止される。この固定金具５のスライド溝５５ｇに、横幕板３の段付き螺子３１ｘを係止させる。スライド溝５５ｇは前方に向かって開口しているため、段付き螺子３１ｘを係止させる際には、横幕板３を後方に向かってスライドさせれば、段付き螺子３１ｘが固定金具５のスライド溝５５ｇに係止される。よって、横幕板３を後方にスライドさせるだけでよく、横幕板をフード２に螺子止め等する必要がないため、横幕板３をフード２に容易に固定することができる。
【００８３】
また、後部係止溝５１ｇは後方に向かって開口する切り欠きであるため、フード２の下部係止螺子２１ｘに固定金具５の後部係止溝５１ｇを係止させる際には、固定金具５を後方に向かってスライドさせれば、フード２から上方に突出する下部係止螺子２１ｘが後部係止溝５１ｇに係止される。よって、固定金具５をフード２に容易に係止させることができる。
【００８４】
また、横幕板３の前後方向の両側に段付き螺子３１ｘが設けられているため、横幕板３は前後方向の両側で固定金具５に係止される。よって、横幕板３を固定金具５に安定的に係止させることができる。
【００８５】
また、固定金具５の支持板部５４が横幕板３の下端部を支持するように、固定金具５は横幕板３の下端部に配置されている。よって、固定金具５のスライド係止溝５５ｇと横幕板３の段付き螺子３１ｘとの係止箇所が横幕板３の下端部であるため、レンジフード１００の設置位置が高所であっても、スライド係止溝５５ｇと段付き螺子３１ｘとを係止させる作業がしやすい。
【００８６】
また、スライド係止溝５５ｇは支持板部５４におけるレンジフード１００の幅方向の内側の端部に設けられた係止板部５５に形成されているとともに、段付き螺子３１ｘは横幕板３におけるレンジフード１００の幅方向の内側の面３１ａに設けられている。よって、レンジフード１００の使用状態において、固定金具５のスライド係止溝５５ｇと横幕板３の段付き螺子３１ｘとの係止箇所が外方から視認されず、外観よく仕上げることができる。
【００８７】
また、固定金具５の係止板部５５と横幕板３との間には、段付き螺子３１ｘとともに横幕板３に固定されたスペーサー機能を有する絞りワッシャー３２が、配置可能とされている。よって、横幕板３の厚さが厚い場合には、絞りワッシャー３２を配置せずに段付き螺子３１ｘのみを横幕板３に設け、横幕板３の厚さが薄い場合には、絞りワッシャー３２を段付き螺子３１ｘとともに横幕板３に固定する。したがって、横幕板３の厚さに応じて絞りワッシャー３２の有無を選択することで、横幕板３の厚さが異なっていても固定金具５を共通で使用することができる。
【００８８】
また、横幕板３に固定された幕板連結金具７に対して、前幕板４を係止させれば、前幕板４と横幕板３とが連結される。よって、前幕板４と横幕板３とを、幕板連結金具７を介して容易に連結することができる。
【００８９】
また、幕板連結金具７では、折曲部７３から第一面部７１の係止孔７７までの長さＬ１と折曲部７３から第二面部７２の係止孔７７までの長さＬ２とは異なっている。横幕板３の厚さが薄い場合には、第一面部７１及び第二面部７２のうち折曲部７３から係止孔７７までの長さが長い方（第一面部７１）が、前幕板４に沿うように配置して、係止孔７７に前幕板４の係止片８１を係止させる。横幕板３の厚さが厚い場合には、第一面部７１及び第二面部７２のうち折曲部７３から係止孔７７までの長さが短い方（第二面部７２）が、前幕板４に沿うように配置して、係止孔７７に前幕板４の係止片８１を係止させる。このように、幕板連結金具７の向きを変えれば、横幕板３の厚さが違っていても、幕板連結金具７を共通で使用することができるため、部品点数を抑制することができる。
【００９０】
また、固定金具５はフード２上に配置され上方から螺子２１ｘ，５１ｘで固定されているが、固定金具５上には横幕板３が配置されているため、螺子２１ｘ，５１ｘがレンジフード１００の外方から見えることがない。また、横幕板３を固定金具５に係止させる段付き螺子３１ｘも、横幕板３の内面３１ａに設けられているため、段付き螺子３１ｘが外方から見えることがない。よって、螺子２１ｘ，５１ｘ，３１ｘの露出がなく、レンジフード１００の外観を向上させることができる。
【００９１】
また、横幕板３は、下地材５８上及び固定金具５の外側板部５２上に載置されて、固定金具５に係止される構成である。よって、横幕板３の交換の際には、横幕板３を前方にスライドさせれば、横幕板３の段付き螺子３１ｘと固定金具５のスライド溝５５ｇとの係止が解除されて、横幕板３を取り外すことができる。固定金具５はフード２に固定されたままであり、新たな横幕板３を上述の通り設置することができる。よって、固定金具５を共通として、横幕板３のみを交換することができる。
【００９２】
なお、上述した実施の形態において示した各構成部材の諸形状や組み合わせ等は一例であって、本発明の主旨から逸脱しない範囲において設計要求等に基づき種々変更可能である。
【００９３】
例えば、上記に示す実施形態では、レンジフード１００の幅方向の一方側にのみ横幕板３が配置され、幅方向の他方側には壁部Ｗ２が配置されているが、本発明はこれに限られない。レンジフード１００の幅方向の両側に、横幕板３が配置される構成であってもよい。
【００９４】
また、上記に示す実施形態では、段付き螺子３１ｘが横幕板３の前後方向の両側に設けられているが、本発明はこれに限られず、幕板側係止部が横幕板に１箇所のみ設けられる構成であってもよい。
【００９５】
また、上記に示す実施形態では、固定金具５をフード２に対して後方にスライドさせて係止させる構成であるが、本発明はこれに限られず、固定部材をフードの上方等から係止させる構成等であってもよい。
【００９６】
また、上記に示す実施形態では、横幕板３と前幕板４とを幕板連結金具７を介して連結する構成であるが、本発明はこれに限られない。横幕板と前幕板とを、螺子等の周知の固定手段で固定してもよい。または、横幕板と前幕板とをフードに設置する前に、予め一体化させておいてもよい。
【００９７】
また、上記に示す実施形態では、固定金具５及び幕板連結金具７は、それぞれ横幕板３の厚さが異なる場合でも共通で使用できる構成としているが、本発明はこれに限られず、横幕板の厚さが異なる場合には、それぞれ専用の固定部材及び連結部材を用意する構成であってもよい。
【００９８】
また、上記に示す実施形態では、段付き螺子３１ｘが横幕板３からレンジフード１００の幅方向の内側に向かって突出しているが、本発明はこれに限られない。幕板側係止部が横幕板から下方やレンジフードの幅方向の外側に向かって突出していて、固定部材には幕板側係止部に対応する位置に前方に向かって開口するスライド係止部が形成されていてもよい。
【符号の説明】
【００９９】
１…レンジフード本体（排気ファン）
２…フード
３…横幕板
４…前幕板
５…固定金具（固定部材）
６…前金具
７…幕板連結金具（連結部材）
８…係止金具
２１ｘ…下部係止螺子（フード側係止部）
３１…下地パネル
３１ｘ…段付き螺子（幕板側係止部）
３２…絞りワッシャー（スペーサー）
３６…化粧パネル
５１…固定板部（固定部）
５１ｇ…後部係止溝（固定側係止部）
５４…支持板部（支持部）
５５…係止板部（支持部）
５５ｇ…スライド溝（スライド係止部）
７１…第一面部
７２…第二面部
７３…折曲部（接続部）
７７…係止孔
１００…レンジフード
【図１】
2020038019.tif 000003
【図２】
2020038019.tif 000004
【図３】
2020038019.tif 000005
【図４】
2020038019.tif 000006
【図５】
2020038019.tif 000007
【図６】
2020038019.tif 000008
【図７】
2020038019.tif 000009
【図８】
2020038019.tif 000010
【図９】
2020038019.tif 000011